(57)【要約】【課題】人物の顔の前面に障害物がある状況下での合焦不備による撮影ミスを防止できる撮影装置及び撮影方法を提供する。【解決手段】焦点位置を調整する焦点位置調整部７０を備え、ＣＣＤを介して取得された画像情報により示される画像の顔を示す領域を検出し、検出された領域をＡＦ領域とし、ＡＦ領域に含まれる被写体に焦点が合った画像を取得するための被写体像の焦点位置を合焦位置として導出し、当該合焦位置に応じて焦点位置調整部７０を制御して自動合焦を行うに際し、ＡＦ制御後にＣＣＤを介して取得された画像情報におけるＡＦ領域の画像情報に基づいてエッジ情報を検出し、検出されたエッジ情報に基づいて、ＡＦ領域に含まれる顔に焦点が合っていないと判定された場合に、焦点位置調整部７０により焦点位置を変更することで、スルー画像を非合焦状態として、その旨を報知するその旨を報知する。【選択図】図３
2009081810.tif 000002
【特許請求の範囲】
【請求項１】
被写体像を示す画像情報を取得するための撮像素子を介して取得された画像情報により示される画像の顔を示す領域を検出する顔検出手段と、
前記撮像素子に被写体像を結像させると共に、前記被写体像の焦点位置を変更可能な光学手段と、
前記顔検出手段により検出された領域を検出領域とし、当該検出領域に含まれる被写体に焦点が合った画像を取得するための前記光学手段による焦点位置を合焦位置として導出する導出手段と、
前記導出手段により導出された合焦位置に応じて前記光学手段を制御して自動合焦を行う自動合焦手段と、
前記自動合焦後に前記撮像素子を介して取得された画像情報における前記検出領域の画像情報に基づいて予め定められた物理量を検出し、検出された物理量と予め設定された閾値とを比較することにより、前記検出領域に含まれる顔に焦点が合っているかを判定する判定手段と、
前記判定手段により前記顔に焦点が合っていないと判定された場合に、その旨の報知を実行する報知実行手段と、
を備えた撮影装置。
【請求項２】
前記導出手段は、前記検出領域の画像に含まれる輝度の高周波成分が最大となるように焦点位置を合焦位置として導出する請求項１記載の撮影装置。
【請求項３】
前記検出手段は、前記検出領域の画像に含まれる色境界に関する物理量を検出する請求項１又は請求項２記載の撮影装置。
【請求項４】
被写体像を示す画像情報を取得するための撮像素子を介して取得された画像情報により示される画像の顔を示す領域を検出する顔検出手段と、
前記撮像素子に被写体像を結像させると共に、前記被写体像の焦点位置を変更可能な光学手段と、
前記顔検出手段により検出された領域を検出領域とし、当該検出領域の画像に含まれる輝度の高周波成分、当該検出領域の画像の顔らしさの度合いを示す顔スコア値、及び当該検出領域の画像に含まれる色境界に関する物理量を検出する検出手段と、
前記光学手段による前記被写体像の焦点位置を所定量ずつ変更させながら、前記撮像素子を介した画像情報の取得及び前記検出手段による各値の検出を繰り返し実行し、前記検出手段により検出された各検出値に基づいて、前記検出領域の画像に含まれる顔に焦点に焦点が合った画像情報を取得するための前記光学手段による焦点位置を合焦位置として導出する導出手段と、
前記導出手段により導出された合焦位置に応じて前記光学手段を制御して自動合焦を行う自動合焦手段と、
を備えた撮影装置。
【請求項５】
前記導出手段は、前記光学手段による被写体像の焦点位置が遠方の被写体像に焦点が合う位置になるほど前記検出領域を前記顔が検出された領域の中心に向かって小さくする請求項４記載の撮影装置。
【請求項６】
被写体像を示す画像情報を取得するための撮像素子に被写体像を結像させると共に前記被写体像の焦点位置を変更可能な光学手段を用い、前記撮像素子を介して取得された画像情報により示される画像の顔を示す領域を検出して検出領域とし、当該検出領域に含まれる被写体に焦点が合った画像を取得するための前記光学手段による焦点位置を合焦位置として導出し、導出された合焦位置に応じて前記光学手段を制御して自動合焦を行うに際し、
前記自動合焦後に前記撮像素子を介して取得された画像情報における前記検出領域の画像情報に基づいて予め定められた物理量を検出し、検出された物理量と予め設定された閾値とを比較することにより、前記検出領域に含まれる顔に焦点が合っているかを判定し、
前記顔に焦点が合っていないと判定された場合に、その旨の報知を実行する
撮影方法。
【請求項７】
撮像素子に被写体像を結像させると共に、前記被写体像の焦点位置を変更可能な光学手段を備え、被写体像を示す画像情報を取得するための撮像素子を介して取得された画像情報により示される画像の顔を示す領域を検出して検出領域とし、
前記光学手段による前記被写体像の焦点位置を所定量ずつ変更させながら、前記撮像素子を介して画像情報を取得し、前記検出領域の画像に含まれる輝度の高周波成分、当該検出領域の画像の顔らしさの度合いを示す顔スコア値、及び当該検出領域の画像に含まれる色境界に関する物理量を更に検出することを繰り返し実行し、
各検出値に基づいて、検出領域の画像に含まれる顔に焦点に焦点が合った画像情報を取得するように前記光学手段による焦点位置を合焦位置として導出する
撮影方法。
【発明の詳細な説明】
【技術分野】
【０００１】
本発明は、撮影により被写体像を示す画像情報を取得する撮影装置及び撮影方法に関する。
【背景技術】
【０００２】
撮影装置においては、従来から、撮影者が画角及び撮影領域を決定すると、シャッタースピード、絞り、焦点位置の調整等の撮影条件を自動的に導出して撮影する機能が提案されている。
【０００３】
例えば、特許文献１には、画像中央部と全体の２つのＡＦエリアについて、ＡＦ評価値を算出し、それぞれの評価値から類推される合焦位置が等しい場合は、２つの差分値から合焦位置を決定することが記載されている。
【０００４】
また、特許文献２には、肌色の面積の比率、もしくは、目など各パーツの表示状態により、被写体の顔が障害物で覆われていないかを判定し、覆われていないことを判定したときに撮影を実行して画像を出力することが記載されている。
【０００５】
特許文献３には、フレーミング中のＥＶＦ表示用画像信号を用いて顔検出を行い、顔検出にかかる時間を短縮し、シャッタータイムラグを低減させることが記載されており、被写体情報（輝度、面積、中心座標の何れか）をもとに焦点位置を決定することが記載されている。
【特許文献１】特開２００４−３０９７２２公報
【特許文献２】特開２００６−２１５９４７公報
【特許文献３】特開２００７−７４３９４公報
【発明の開示】
【発明が解決しようとする課題】
【０００６】
しかしながら、上記各特許文献に記載の技術では、人物の前に高コントラストの障害物がある場合には、焦点位置を調整することができない、という問題点があった。
【０００７】
本発明は上記問題点を解決するためになされたものであり、人物の顔の前面に障害物がある状況下での合焦不備による撮影ミスを防止できる撮影装置及び撮影方法を提供することを目的とする。
【課題を解決するための手段】
【０００８】
上記目的を達成するために、請求項１の発明は、被写体像を示す画像情報を取得するための撮像素子を介して取得された画像情報により示される画像の顔を示す領域を検出する顔検出手段と、前記撮像素子に被写体像を結像させると共に、前記被写体像の焦点位置を変更可能な光学手段と、前記顔検出手段により検出された領域を検出領域とし、当該検出領域に含まれる被写体に焦点が合った画像を取得するための前記光学手段による焦点位置を合焦位置として導出する導出手段と、前記導出手段により導出された合焦位置に応じて前記光学手段を制御して自動合焦を行う自動合焦手段と、前記自動合焦後に前記前記撮像素子を介して取得された画像情報における前記検出領域の画像情報に基づいて予め定められた物理量を検出し、検出された物理量と予め設定された閾値とを比較することにより、前記検出領域に含まれる顔に焦点が合っているかを判定する判定手段と、前記判定手段により前記顔に焦点が合っていないと判定された場合に、その旨の報知を実行する報知実行手段と、を備えている。
【０００９】
請求項１記載の発明によれば、撮像素子に被写体像を結像させると共に、前記被写体像の焦点位置を変更可能な光学手段を備え、被写体像を示す画像情報を取得するための撮像素子を介して取得された画像情報により示される画像の顔を示す領域を検出し、検出された領域を検出領域とし、当該検出領域に含まれる被写体に焦点が合った画像を取得するための前記光学手段による焦点位置を合焦位置として導出し、当該合焦位置に応じて光学手段を制御して自動合焦を行うに際し、自動合焦後に撮像素子を介して取得された画像情報における前記検出領域の画像情報に基づいて予め定められた物理量を検出し、検出された物理量と予め設定された閾値とを比較することにより、検出領域に含まれる顔に焦点が合っていないと判定された場合に、その旨を報知するので、人物の顔の前面に障害物がある状況下での合焦不備による撮影ミスを防止できる。
【００１０】
本発明は、請求項２記載の発明のように、前記導出手段は、前記検出領域の画像に含まれる輝度の高周波成分が最大となるように焦点位置を合焦位置として導出することもできる。
【００１１】
また、請求項３記載の発明のように、前記検出手段は、前記検出領域の画像に含まれる色境界に関する物理量を検出することもできる。
【００１２】
一方、請求項４の発明は、被写体像を示す画像情報を取得するための撮像素子を介して取得された画像情報により示される画像の顔を示す領域を検出する顔検出手段と、前記撮像素子に被写体像を結像させると共に、前記被写体像の焦点位置を変更可能な光学手段と、前記顔検出手段により検出された領域を検出領域とし、当該検出領域の画像に含まれる輝度の高周波成分、当該検出領域の画像の顔らしさの度合いを示す顔スコア値、及び当該検出領域の画像に含まれる色境界に関する物理量を検出する検出手段と、前記光学手段による前記被写体像の焦点位置を所定量ずつ変更させながら、前記撮像素子を介した画像情報の取得及び前記検出手段による各値の検出を繰り返し実行し、前記検出手段により検出された各検出値に基づいて、前記検出領域の画像に含まれる顔に焦点に焦点が合った画像情報を取得するための前記光学手段による焦点位置を合焦位置として導出する導出手段と、前記導出手段により導出された合焦位置に応じて前記光学手段を制御して自動合焦を行う自動合焦手段と、を備えている。
【００１３】
請求項４記載の発明によれば、撮像素子に被写体像を結像させると共に、前記被写体像の焦点位置を変更可能な光学手段を備え、被写体像を示す画像情報を取得するための撮像素子を介して取得された画像情報により示される画像の顔を示す領域を検出し、検出された領域を検出領域とし、前記光学手段による前記被写体像の焦点位置を所定量ずつ変更させながら、前記撮像素子を介して画像情報を取得して。前記検出領域の画像に含まれる輝度の高周波成分、当該検出領域の画像の顔らしさの度合いを示す顔スコア値、及び当該検出領域の画像に含まれる色境界に関する物理量を更に検出することを繰り返し実行し、各検出値に基づいて、検出領域の画像に含まれる顔に焦点に焦点が合った画像情報を取得するように前記光学手段による焦点位置を合焦位置として導出する自動合焦を行う。これにより、人物の顔の前面に障害物がある状況下での合焦不備を防止できるので、人物の顔の前面に障害物がある状況下での合焦不備による撮影ミスを防止できる。
【００１４】
本発明は、請求項５記載の発明のように、前記導出手段は、前記光学手段による被写体像の焦点位置が遠方の被写体像に焦点が合う位置になるほど前記検出領域を前記顔が検出された領域の中心に向かって小さくするようにしてもよい。
【００１５】
また、請求項６の発明は、被写体像を示す画像情報を取得するための撮像素子に被写体像を結像させると共に前記被写体像の焦点位置を変更可能な光学手段を用い、前記撮像素子を介して取得された画像情報により示される画像の顔を示す領域を検出して検出領域とし、当該検出領域に含まれる被写体に焦点が合った画像を取得するための前記光学手段による焦点位置を合焦位置として導出し、導出された合焦位置に応じて前記光学手段を制御して自動合焦を行うに際し、前記自動合焦後に前記撮像素子を介して取得された画像情報における前記検出領域の画像情報に基づいて予め定められた物理量を検出し、検出された物理量と予め設定された閾値とを比較することにより、前記検出領域に含まれる顔に焦点が合っているかを判定し、前記顔に焦点が合っていないと判定された場合に、その旨の報知を実行する。
【００１６】
請求項６記載の発明によれば、請求項１記載の発明と同様に、人物の顔の前面に障害物がある状況下での合焦不備による撮影ミスを防止できる。
【００１７】
請求項７の発明は、撮像素子に被写体像を結像させると共に、前記被写体像の焦点位置を変更可能な光学手段を備え、被写体像を示す画像情報を取得するための撮像素子を介して取得された画像情報により示される画像の顔を示す領域を検出して検出領域とし、前記光学手段による前記被写体像の焦点位置を所定量ずつ変更させながら、前記撮像素子を介して画像情報を取得し、前記検出領域の画像に含まれる輝度の高周波成分、当該検出領域の画像の顔らしさの度合いを示す顔スコア値、及び当該検出領域の画像に含まれる色境界に関する物理量を更に検出することを繰り返し実行し、各検出値に基づいて、検出領域の画像に含まれる顔に焦点に焦点が合った画像情報を取得するように前記光学手段による焦点位置を合焦位置として導出する撮影方法。
【００１８】
請求項７記載の発明によれば、請求項４記載の発明と同様に、人物の顔の前面に障害物がある状況下での合焦不備による撮影ミスを防止できる。
【発明の効果】
【００１９】
以上説明したように、本発明によれば、人物の顔の前面に障害物がある状況下での合焦不備による撮影ミスを防止できる、という効果を有する。
【発明を実施するための最良の形態】
【００２０】
以下、図面を参照して、本発明を実施するための最良の形態について詳細に説明する。
（第１実施形態）
まず、図１を参照して、本形態に係るデジタルカメラ１０の外観上の構成を説明する。
【００２１】
同図に示すように、デジタルカメラ１０の正面には、被写体像を結像させるためのレンズ１２と、撮影する被写体の構図を決定するために用いられるファインダ５８と、が備えられている。また、デジタルカメラ１０の上面には、撮影を実行する際に撮影者によって押圧操作されるレリーズボタン（所謂シャッター）５６Ａと、電源スイッチ５６Ｂと、が備えられている。
【００２２】
なお、本実施の形態に係るレリーズボタン５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００２３】
そして、本実施の形態に係るデジタルカメラ１０では、レリーズボタン５６Ａを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００２４】
一方、デジタルカメラ１０の背面には、前述のファインダ５８の接眼部と、撮影によって得られたデジタル画像データにより示される被写体像や各種メニュー画面、メッセージ等を表示するための液晶ディスプレイ（以下、「ＬＣＤ」という。）３０と、撮影を行うモードである撮影モード及び撮影によって得られたデジタル画像データにより示される被写体像をＬＣＤ３０に表示（再生）するモードである再生モードの何れかのモードに設定するためにスライド操作されるモード切替スイッチ５６Ｃと、ＬＣＤ３０の表示領域における上・下・左・右の４方向の移動方向を示す４つの矢印キーを含んで構成された十字カーソルボタン５６Ｄと、が備えられている。
【００２５】
また、デジタルカメラ１０の背面には、ＬＣＤ３０にメインメニュー画面を表示する際に押圧操作されるメニューキー５６Ｅと、メニュー画面で指定された処理を実行する際に押圧操作される実行キー５６Ｆと、各種操作を中止（キャンセル）する際に押圧操作されるキャンセルキー５６Ｇと、が備えられている。
【００２６】
次に、図２を参照して、本実施の形態に係るデジタルカメラ１０の電気系の構成を説明する。同図に示されるように、デジタルカメラ１０は、デジタルカメラ１０全体の動作を司るＣＰＵ（中央処理装置）３２と、ＣＰＵ３２による各種処理の実行時のワークエリア等として用いられる第１メモリ３８と、主として撮影により得られたデジタル画像データを記憶する第２メモリ４０と、を含んで構成されている。これらＣＰＵ３２、第１メモリ３８、第２メモリ４０各々バスＢＵＳを介して相互に接続されている。
【００２７】
従って、ＣＰＵ３２では、第１メモリ３８及び第２メモリ４０へのアクセスと、メディアコントローラ４２を介した記録メディア４２Ａへのアクセスと、をそれぞれ行うことができる。
【００２８】
なお、第１メモリ３８は、例えば、ＳＤＲＡＭ（Synchronous Dynamic Random Access Memory）により、第２メモリ４０は、例えば、ＶＲＡＭ（Video RAM）により、それぞれ構成することができる。
【００２９】
また、同図に示すように、デジタルカメラ１０には、前述のレンズ１２を含んで構成された光学ユニット１３と、レンズ１２の光軸後方に配設されたＣＣＤ（Charge Coupled Device）１４と、主としてＣＣＤ１４を駆動させるためのタイミング信号を生成してＣＣＤ１４に供給するタイミングジェネレータ４８が設けられている。
【００３０】
タイミングジェネレータ４８の入力端子はＣＰＵ３２に、出力端子はＣＣＤ１４に各々接続されており、ＣＣＤ１４の駆動は、ＣＰＵ３２によりタイミングジェネレータ４８を介して制御される。
【００３１】
さらに、本実施の形態に係る光学ユニット１３に含まれるレンズ１２は複数枚のレンズを有し、焦点距離の変更（変倍）が可能なズームレンズとして構成されており、ズームモータ５０Ａ、焦点調整モータ５０Ｂ及び絞り駆動モータ５０Ｃを含んで構成されるレンズ駆動機構を備えている。モータ駆動部５０Ａ、５０Ｂ、５０Ｃの出力端子はズームモータ１３Ａ、焦点調整モータ１３Ｂ及び絞り駆動モータ１３Ｃにそれぞれ接続されている。
【００３２】
これらのモータ駆動部５０Ａ、５０Ｂ、５０Ｃの入力端子は、ＣＰＵ３２にそれぞれ接続されており、レンズ駆動機構を構成するズームモータ１３Ａ、焦点調整モータ１３Ｂ及び絞り駆動モータ１３Ｃは各々ＣＰＵ３２の制御下でモータ駆動部５０から供給された駆動信号によって駆動される。
【００３３】
ＣＰＵ３２は、光学ズーム倍率を変更する際にはズームモータ１３Ａを駆動制御して光学ユニット１３に含まれるレンズ１２の焦点距離を変化させる。
【００３４】
また、デジタルカメラ１０には、相関二重サンプリング回路（以下、「ＣＤＳＡＭＰ」という。）１６と、入力されたアナログ信号をデジタルデータに変換するアナログ／デジタル変換器（以下、「ＡＤＣ」という。）１８と、を含んで構成されている。ＣＤＳＡＭＰ１６の入力端子はＣＣＤ１４の出力端子に、ＣＤＳＡＭＰ１６の出力端子はＡＤＣ１８の入力端子に、各々接続されている。
【００３５】
ＣＤＳＡＭＰ１６では、ＣＣＤ１４の出力信号に含まれるノイズ（特に熱雑音）等を軽減することを目的として、固体撮像素子の１画素毎の出力信号に含まれるフィードスルー成分レベルと画素信号成分レベルとの差をとることにより正確な画素データを得る処理である。
【００３６】
また、前述のレリーズボタン５６Ａ、電源スイッチ５６Ｂ、モード切替スイッチ５６Ｃ、十字カーソルボタン５６Ｄ、メニューキー５６Ｅ、実行キー５６Ｆ及びキャンセルキー５６Ｇを含む操作部５６はＣＰＵ３２に接続されており、ＣＰＵ３２は、これら操作部５６の各々に対する操作状態を常時把握できる。
【００３７】
一方、デジタルカメラ１０は、所定容量のラインバッファを内蔵すると共に入力されたデジタル画像データを第２メモリ４０の所定領域に直接記憶させる制御を行う画像入力コントローラ２０と、デジタル画像データに対して各種画像処理を施す画像信号処理回路２２と、所定の圧縮形式でデジタル画像データに圧縮処理を施す一方、圧縮処理されたデジタル画像データに伸張処理を施す圧縮・伸張処理回路２４と、デジタル画像データにより示される画像やメニュー画面等をＬＣＤ３０に表示させるための信号を生成してＬＣＤ３０に供給する表示制御回路２８と、を含んで構成されている。なお、画像入力コントローラ２０の入力端子には、上記ＡＤＣ１８の出力端子が接続されている。
【００３８】
また、デジタルカメラ１０は、上記ＡＦ機能を働かせるために必要とされる物理量（詳細は後述する）を検出するＡＦ検出回路３４と、上記ＡＥ機能及びＡＷＢ（Automatic White Balance）機能を働かせるために必要とされる物理量（本実施の形態では、ＣＣＤ１４を介して取得された画像の明るさを示す輝度情報と、色差情報）を検出するＡＥ・ＡＷＢ検出回路３６と、を含んで構成されている。
【００３９】
更に、デジタルカメラ１０は、画像において顔らしさが所定の閾値よりも大きい領域を検出する顔検出回路４４と、画像に含まれる色の境界を示すエッジを検出するエッジ検出回路４６と、を含んで構成されている。
【００４０】
また、デジタルカメラ１０は、本体に着脱可能な記録メディア４２Ａをデジタルカメラ１０でアクセス可能とするためのメディアコントローラ４２を含んで構成されている。
【００４１】
以上の画像入力コントローラ２０、画像信号処理回路２２、圧縮・伸張処理回路２４、表示制御回路２８、ＡＦ検出回路３４、ＡＥ・ＡＷＢ検出回路３６、メディアコントローラ４２、顔検出回路４４及びエッジ検出回路４６は、各々ＣＰＵ３２等が接続された上述のバスＢＵＳを介して相互に接続されている。
【００４２】
従って、ＣＰＵ３２は、画像入力コントローラ２０、画像信号処理回路２２、圧縮・伸張処理回路２４、及び表示制御回路２８の各々の作動の制御と、ＡＦ検出回路３４及びＡＥ・ＡＷＢ検出回路３６により検出された物理量の取得と、メディアコントローラ４２を介した記録メディア４２Ａへのアクセスと、顔検出回路４４による顔領域の検出と、エッジ検出回路４６によるエッジ検出と、を各々行うことができる。
【００４３】
また、ＣＰＵ３２は、上記ＡＥ機能として、ＡＥ・ＡＷＢ検出回路３６による検出結果に基づいて露出状態を設定する。なお、露出状態は、絞り、シャッタースピード、撮影感度等の相互関係によって決まる。ＣＰＵ３２は、上記焦点調整モータ１３Ｂを駆動制御して焦点位置を調整すると共に、絞り駆動モータ１３Ｃを駆動制御してＣＣＤ１４に入射する光量を調整する。
【００４４】
ここで、ＣＰＵ３２では、上記ＡＦ機能として、ＣＣＤ１４による撮像によって得られた画像のコントラストが最大となるように上記モータ駆動部５０Ａを介して焦点調整モータ１３Ｂを駆動制御することによりフォーカスレンズの位置を設定する、所謂ＴＴＬ（Through The Lens）方式を用いる。
【００４５】
なお、ＡＦ検出回路３４では、ＣＣＤ１４による撮像によって得られた画像のＡＦ領域における輝度の高周波成分を示す評価値（以下、「コントラスト値」という。）を検出する。
【００４６】
図３には、本実施の形態のＡＦ制御に関する機能ブロック図が一例として示されている。なお、同図には、ＣＰＵ３２による処理を機能的に示すものである。
【００４７】
同図に示されるように、ＡＦ制御の実行時には、ＣＰＵ３２は、タイミングジェネレータ４８を制御することによりＣＣＤ１４を介して被写体像を示す画像情報を取得する画像情報取得部６０、顔検出部６２及びＡＦ領域設定部６４として機能する。
【００４８】
顔検出部６２は、画像情報取得部６０及びＡＦ領域設定部６４に接続されている。顔検出部６２では、画像情報取得部６０により取得された画像情報に基づいて、前記顔検出回路４４を用いた顔検出を行う。また、顔検出部６２では、検出された顔領域を示す情報をＡＦ領域設定部６４に出力する。
【００４９】
ＡＦ領域設定部６４は、画像情報取得部６０及び顔検出部６２に接続されており、顔検出部６２において検出された顔領域を上記ＡＦ検出回路３４によるＡＦ機能を働かせるために必要とされる物理量の検出対象とする領域（以下、「ＡＦ領域」という。）として設定し、画像情報取得部６０により取得された画像情報により示される画像のうち、ＡＦ領域の画像情報を出力する。
【００５０】
また、ＣＰＵ３２は、コントラスト値検出部６６、合焦位置決定部６８、焦点位置調整部７０としても機能する。コントラスト値検出部６６は、ＡＦ領域設定部６４及び合焦位置決定部６８と接続されている。また、合焦位置決定部６８は、焦点位置調整部７０に接続されている。
【００５１】
コントラスト値検出部６６は、ＡＦ領域設定部６４により出力された画像情報に基づいて、ＡＦ検出回路を用いてコントラスト値を検出し、フォーカスレンズの位置情報と共に不図示のメモリに記憶する。
【００５２】
合焦位置決定部６８は、コントラスト値検出部６４により検出されたコントラスト値に基づいて、合焦位置を決定し、合焦位置情報を出力する。
【００５３】
焦点位置調整部７０は、モータ駆動部５０Ｂを制御して焦点調整モータを駆動することにより、フォーカスレンズを移動させる。焦点位置調整部７０では、レリーズボタン５６Ａが半押し状態とされた場合には、フォーカスレンズを予め設定されたデフォルト位置から所定の速度で移動させるＡＦ動作を行なうようにモータ駆動部５０Ｂを制御する。また、焦点位置調整部７０は、上記合焦位置決定部６８により合焦位置情報が出力された場合には、当該合焦位置にフォーカスレンズを移動させるようにモータ駆動部５０Ｂを制御する。
【００５４】
ここで、例えば、図５（Ａ）に示されるように、人物の顔の前面にフェンス等の障害物がある場合、障害物であるフェンスに焦点が合うように合焦位置が決定される場合がある。しかし、撮影者の意図としては、図５（Ｂ）に示されるように、カメラ本体１０からみてフェンスよりも遠方の被写体の顔に焦点が合うように撮影したい。
【００５５】
そこで、本実施の形態では、ＣＰＵ３２は、エッジ情報検出部７２、判定部７４としても機能する。エッジ情報検出部７２は、ＡＦ領域設定部６４及び判定部７４と接続されている。
【００５６】
エッジ情報検出部７２は、画像における色の境界であるエッジの本数、それぞれのエッジのエッジ長及びエッジ強度等をエッジ情報として検出する。
【００５７】
判定部７４では、エッジ情報検出部７２により検出されたエッジ情報に基づいてエッジ評価値Ｅを導出し、顔に焦点が合っているか否かを判定する。
【００５８】
具体的には、例えば、エッジ情報検出部７２により検出したエッジの中から、エッジ長がＡＦ検出領域の一辺を基準とした所定の閾値よりも大きく、かつエッジ強度が一定値となるエッジを抽出し、そのエッジの本数をエッジ評価値Ｅとして導出する。そして、エッジ評価値Ｅが予め設定された閾値よりも大きい場合には、人物の顔に焦点が合うように合焦位置が決定されていないと判定する。また、エッジ評価値Ｅが予め設定された閾値よりも小さい場合には人物の顔に焦点が合うように合焦位置が決定されたと判定する。
【００５９】
また、判定部７４では、合焦位置決定部６８により決定された合焦位置が、人物の顔に焦点が合うように決定されたものであるか否かの判定結果を焦点位置調整部７０に出力する。
【００６０】
焦点位置調整部７０では、判定部７４が出力した判定結果が、人物の顔に焦点が合うように決定された合焦位置でないことを示している場合には、フォーカスレンズの位置を合焦位置からずらすように制御する。一方、判定部７４が出力した判定結果が、人物の顔に焦点が合うように決定された合焦位置である場合には、合焦位置決定部６８により決定された合焦位置に基づく制御を行う。
【００６１】
次に、本実施の形態に係るデジタルカメラ１０の作用を説明する。
【００６２】
デジタルカメラ１０における撮影時の全体的な動作として、まず、ＣＣＤ１４による光学ユニット１３を介した撮像が行なわれ、被写体像を示す信号がＣＣＤ１４から順次出力される。そして、ＣＣＤ１４から出力された信号は順次ＣＤＳ１６に入力されて相関二重サンプリング処理が施された後にＡＤＣ１８に入力され、ＡＤＣ１８は、ＣＤＳ１６から入力されたＲ（赤）、Ｇ（緑）、Ｂ（青）の信号を各々１２ビットのＲ、Ｇ、Ｂ信号（デジタル画像データ）に変換して画像入力コントローラ２０に出力する。
【００６３】
画像入力コントローラ２０は内蔵しているラインバッファにＡＤＣ１８から順次入力されるデジタル画像データを蓄積して一旦第２メモリ４０の所定領域に格納する。
【００６４】
第２メモリ４０の所定領域に格納されたデジタル画像データは、ＣＰＵ３２による制御下で画像信号処理回路２２によって読み出され、これらにＡＥ・ＡＷＢ検出回路３６により検出された物理量に応じたデジタルゲインをかけることでホワイトバランス調整を行なうと共に、ガンマ処理及びシャープネス処理を行なって８ビットのデジタル画像データを生成し、更にＹＣ信号処理を施して輝度信号Ｙとクロマ信号Ｃｒ、Ｃｂ（以下、「ＹＣ信号」という。）を生成し、ＹＣ信号を第２メモリ４０の上記所定領域とは異なる領域に格納する。
【００６５】
なお、ＬＣＤ３０は、ＣＣＤ１４による連続的な撮像によって得られた動画像（スルー画像）を表示してファインダとして使用することができるものとして構成されているが、このようにＬＣＤ３０をファインダとして使用する場合には、生成したＹＣ信号を、表示制御回路２８を介して順次ＬＣＤ３０に出力する。これによってＬＣＤ３０にスルー画像が表示されることになる。
【００６６】
ここで、レリーズボタン５６Ａがユーザによって半押し状態とされた場合、前述のようにＡＥ機能が働いて露出状態が設定された後、ＡＦ機能が働いて合焦制御され、その後、引き続き全押し状態とされた場合、この時点で第２メモリ４０に格納されているＹＣ信号を、圧縮・伸張処理回路２４によって所定の圧縮形式で圧縮した後に記録メディア４２Ａに画像ファイルとして記録する。
【００６７】
図４は、撮影モードが設定された場合にデジタルカメラ１０のＣＰＵ３２により実行される撮影処理プログラムの処理の流れを示すフローチャートである。以下、同図を参照して本実施の形態に係る撮影処理について説明する。
【００６８】
まず、ステップ１００では、スルー画像の表示を開始し、次のステップ１０２では、レリーズボタン５６Ａが半押し状態とされたことを示す操作信号が入力されたか否かを判定する。
【００６９】
ステップ１０２で肯定判定となった場合はステップ１０４に移行して、ＣＣＤ１４を用いて取得したデジタル画像データの輝度情報に基づいて、顔検出回路４４による顔検出を行い、その後にステップ１０６に移行する。ステップ１０６では、顔が検出された領域をＡＦ領域としてＡＦ制御を行い、その後にステップ１０８に移行する。
【００７０】
ステップ１０８では、ＡＦ制御により焦点位置が調整されたＡＦ領域について、エッジ情報を検出し、その後にステップ１１０に移行する。なお、検出するエッジ情報としては、ＡＦ領域に含まれるエッジの本数、それぞれのエッジのエッジ長及びエッジ強度があげられる。
【００７１】
ステップ１１０では、検出したエッジ情報に基づいてエッジ評価値Ｅを導出し、次のステップ１１２では、導出したエッジ評価値Ｅが予め設定された閾値よりも大きいか否かを判定する。当該判定が否定判定となった場合は、図５（Ｂ）に示されるように、顔に焦点が合っていると判断し、ステップ１１６に移行する。
【００７２】
なお、エッジ評価値Ｅの閾値は、例えば、人物の顔を構成するエッジの長さや強度、本数の統計に基づいて、顔を構成しないと判定できる値を適用することができる。また、当該閾値は、エッジ評価値の導出方法にも依存する。
【００７３】
一方、ステップ１１２で肯定判定となった場合は、図５（Ａ）に示されるように、顔の前面の障害物に焦点が合っていると判断し、ステップ１１４に移行する。ステップ１１４では、フォーカスレンズをＡＦ制御により移動された位置からずらして非合焦表示とし、その後にステップ１１６に移行する。
【００７４】
ステップ１１６では、レリーズボタン５６Ａが全押し状態とされたか否かを判定し、当該判定が否定判定となった場合はステップ１１８に移行して、レリーズボタン５６Ａの半押し状態が解除されたか否かを判定する。当該判定も否定判定となった場合は、再びステップ１１６に戻る。また、ステップ１１８で肯定判定となった場合はステップ１０２に戻る。
【００７５】
一方、ステップ１１６が肯定判定となった場合は、ステップ１２０に移行して、ＣＣＤ１４を介して得られた画像情報を静止画像情報として記録メディア４２Ａに記憶することにより撮影を行い、次のステップ１２２に移行する。
【００７６】
ステップ１２２では、撮影を終了するか否かを判定し、当該判定が否定判定となった場合は、再びステップ１０２に戻る。
【００７７】
また、モード切替スイッチ５６Ｃが操作されることにより再生モードへの切り替えが指示された場合、又は電源スイッチ５６Ｂが操作されることにより電源の遮断が指示された場合には、ステップ１２２が肯定判定となり、ステップ１２４に移行する。ステップ１２４では、スルー画像表示を終了し、その後に本連続撮影処理を終了する。
【００７８】
なお、第１実施形態では、ＡＦ制御を行なった結果、顔に焦点が合っていないと判定された場合に、非合焦表示を行なう形態について説明したが、本発明はこれに限定されるものではない。
【００７９】
例えば、警告音やメッセージの再生によりＡＦ制御の結果の確認を促すようにしてもよいし、その旨を示すマークやメッセージ等をＬＣＤ３０に表示してもよい。
【００８０】
また、図１７に示されるように、デジタルカメラ１０にグラフデータ作成ユニット４８を搭載し、ＡＦ処理において検出、或いは導出された各値等を示すグラフデータを作成して表示するようにしてもよい。
【００８１】
この場合の機能ブロック図は、図１８に示されるように、判定部７４による判定結果をグラフデータ作成部８８に出力するようにする。
【００８２】
グラフデータ作成部８８では、顔に焦点が合っていないと判定された場合に、判定の根拠を示すグラフを示すグラフデータをグラフデータ作成ユニット４８により作成し、表示制御部９０に出力する。
【００８３】
表示制御部９０は、グラフデータ作成ユニット４８により作成されたグラフをＬＣＤ３０に表示するように表示制御回路２８を制御する。
（第２実施形態）
上記第１実施形態では、ＡＦ制御により決定した焦点位置が、顔に焦点が合う位置であるか否かを判定し、顔に焦点が合う位置でないと判定した場合にはスルー画像として表示する画像を非合焦状態で表示する形態について説明したが、本第２実施形態では、ＡＦ制御の実行時にエッジの状態を加味した総合評価値を導出し、総合評価値に基づいて合焦位置を決定する形態について説明する。
【００８４】
なお、本第２実施形態のデジタルカメラの構成において、上記第１実施形態のデジタルカメラ１０の構成と同一の構成については同一の符号を付し、その図示及び説明を省略する。
【００８５】
図６には、本第２実施形態に係るＡＦ制御に関する機能ブロック図が一例として示されている。なお、同図には、ＣＰＵ３２による処理を機能的に示すものである。
【００８６】
同図に示されるように、ＡＦ制御の実行時には、ＣＰＵ３２は、タイミングジェネレータ４８を制御することによりＣＣＤ１４を介して被写体像を示す画像情報を取得する画像情報取得部６０、顔検出部６２及びＡＦ領域設定部６４として機能する。
【００８７】
顔検出部６２は、画像情報取得部６０及びＡＦ領域設定部６４に接続されている。顔検出部６２では、画像情報取得部６０により取得された画像情報に基づいて、前記顔検出回路４４を用いた顔検出を行う。また、顔検出部６２では、検出された顔領域を示す情報をＡＦ領域設定部６４に出力する。
【００８８】
ＡＦ領域設定部６４は、画像情報取得部６０及び顔検出部６２に接続されており、顔検出部６２において検出された顔領域を上記ＡＦ検出回路３４によるＡＦ機能を働かせるために必要とされる物理量の検出対象とする領域（以下、「ＡＦ領域」という。）として設定し、画像情報取得部６０により取得された画像情報により示される画像のうち、ＡＦ領域の画像情報を出力する。
【００８９】
なお、ＡＦ検出回路３４では、ＣＣＤ１４による撮像によって得られた画像のＡＦ領域における輝度の高周波成分を示す評価値（以下、「コントラスト値」という。）を検出する。
【００９０】
また、ＣＰＵ３２は、コントラスト値検出部６６、エッジ値導出部７８、顔スコア値検出部８０、総合評価値導出部８２、合焦位置決定部８４、焦点位置調整部７０としても機能する。
【００９１】
コントラスト値検出部６６、エッジ評価値導出部７８及び顔スコア値検出部８０は、それぞれＡＦ領域設定部６４及び総合評価値導出部８２と接続されている。
【００９２】
コントラスト値検出部６６は、ＡＦ領域設定部６４により出力された画像情報に基づいて、ＡＦ検出回路を用いてコントラスト値を検出して出力する。
【００９３】
また、エッジ評価値導出部７８は、ＡＦ領域の画像における色の境界であるエッジの本数、それぞれのエッジのエッジ長及びエッジ強度等をエッジ情報として検出し、これらのエッジ情報に基づいてエッジ評価値Ｅを導出する。例えば、エッジ評価値Ｅとしては、検出したエッジの中から、エッジ長がＡＦ検出領域の一辺を基準とした所定の閾値よりも大きく、かつエッジ強度が一定値となるエッジの本数に基づく値を適用できる。
【００９４】
顔スコア値検出部８０では、顔検出回路４４を用いて、ＡＦ領域の画像についての顔らしさの度合いを顔スコア値として検出する。
【００９５】
総合評価値導出部８２では、コントラスト値検出部６６、エッジ評価値導出部７８及び顔スコア値検出部８０によりそれぞれ出力された値に基づいて総合評価値を導出する。また、総合評価値導出部８２では、導出した総合評価値をフォーカスレンズの位置情報と共に不図示のメモリに記憶する。総合評価値は、例えば、以下の（１）式により導出することができる。
【００９６】
総合評価値＝α×コントラスト値＋β×顔スコア値−γ×エッジ値  ・・・  （１）
なお、α、β、γは、定数であり、コントラスト値、顔スコア値、エッジ値が、同一指標上で均等の値となるよう調整するために用いる値である。例えば、α、β、γは、コントラスト値の最大値であるＭａｘ＿Ｃｏｎｔ、顔スコア値の最大値であるＭａｘ＿Ｆａｃｅ、エッジ値の最大値であるＭａｘ＿Ｅｄｇｅを用いて、以下の（２）〜（４）式のように決定する。
【００９７】
α＝１    ・・・  （２）
β＝Ｍａｘ＿Ｃｏｎｔ／Ｍａｘ＿Ｆａｃｅ  ・・・  （３）
γ＝Ｍａｘ＿Ｃｏｎｔ／Ｍａｘ＿Ｅｄｇｅ  ・・・  （４）
総合評価値導出部８２は、合焦位置決定部８４と接続されており、合焦位置決定部８４は、総合評価値導出部８２により検出されたコントラスト値に基づいて、合焦位置を決定し、焦点位置調整部７０に焦位置情報を出力する。
【００９８】
焦点位置調整部７０は、モータ駆動部５０Ｂを制御して焦点調整モータを駆動することにより、フォーカスレンズを移動させる。焦点位置調整部７０では、レリーズボタン５６Ａが半押し状態とされた場合には、フォーカスレンズを予め設定されたデフォルト位置から所定の速度で移動させるＡＦ動作を行なうようにモータ駆動部５０Ｂを制御する。また、焦点位置調整部７０は、上記合焦位置決定部６８により合焦位置情報が出力された場合には、当該合焦位置にフォーカスレンズを移動させるようにモータ駆動部５０Ｂを制御する。
【００９９】
以下、本第２実施形態の作用を説明する。
【０１００】
図７は、撮影モードが設定された場合にデジタルカメラ１０のＣＰＵ３２により実行される撮影処理プログラムの処理の流れを示すフローチャートである。以下、同図を参照して本第２実施の形態に係る撮影処理について説明する。
【０１０１】
まず、ステップ２００では、スルー画像の表示を開始し、次のステップ２０２では、レリーズボタン５６Ａが半押し状態とされたことを示す操作信号が入力されたか否かを判定する。
【０１０２】
ステップ２０２で肯定判定となった場合はステップ２０４に移行して、ＣＣＤ１４を用いて取得したデジタル画像データの輝度情報に基づいて、顔検出回路４４による顔検出を行い、その後にステップ２０５に移行する。
【０１０３】
ステップ２０５では、顔が検出された領域をＡＦ領域として設定し、その後にステップ２０６に移行する。ステップ２０６では、フォーカスレンズをデフォルト位置に移動させ、その後にステップ２０８に移行して、ＡＦ検出回路３４によりコントラスト値を検出し、ステップ２１０に移行して、顔検出回路４４により顔スコア値を検出し、ステップ２１２に移行してエッジ評価値Ｅを検出する。
【０１０４】
図８（Ａ）〜（Ｃ）には、一例として、図５に示されるように、人物の前面にフェンスが存在する場合の、フォーカスレンズの位置と検出値との関係がそれぞれ示されている。
【０１０５】
同図（Ａ）は、コントラスト値を、同図（Ｂ）は顔スコア値を、同図（Ｃ）はエッジ評価値Ｅを、それぞれ示している。同図（Ａ）に示されるように、コントラスト値のピークは２箇所に表れている。近距離側のピークはフェンスに焦点が合っており、コントラスト値が高い。一方、遠距離側のピークは顔に焦点が合っており、フェンスに焦点が合っている場合のコントラスト値と比較すると人間の顔はコントラスト値が低い。
【０１０６】
また、同図（Ｂ）に示されるように、顔らしさを示す顔スコア値は、顔に焦点が合っている場合に高い傾向を示すものの、それほど大きな変化は示していない。
【０１０７】
さらに、同図（Ｃ）に示されるように、エッジ評価値Ｅは、フェンスに焦点が合っている場合にピークとなり、顔に焦点があっている場合には特にエッジ評価値Ｅが高くなることはない。
【０１０８】
そこで、次のステップ２１４では、ステップ２０８〜２１２の処理により導出された各値に基づいて総合評価値を導出し、次のステップ２１６に移行する。総合評価値の導出は、例えば、上記（１）式により実行することができる。
【０１０９】
図９は、一例として、フォーカスレンズの位置と（１）式を用いて導出した総合評価値との関係を示すグラフである。同図に示されるように、顔以外に焦点が合っている場合は総合評価値が低くなり、顔に焦点が合っている場合に総合評価値がピークとなる。
【０１１０】
ステップ２１６では、ＡＦ制御時のフォーカスレンズの駆動を終了するか否かを判定し、当該判定が否定判定となった場合はステップ２１８に移行して、フォーカスレンズを所定量駆動し、その後に再びステップ２０８に戻る。
【０１１１】
なお、本実施の形態では、ＡＦ制御時におけるフォーカスレンズの駆動は、デフォルト位置から所定量単位でステップ駆動され、フォーカスレンズの可動領域全域についての総合評価値が導出される。したがって、全域についての総合評価値の導出が完了した場合、又は総合評価値のピークを検出した場合に、フォーカスレンズの駆動を終了する。
【０１１２】
ステップ２１６で肯定判定となった場合はステップ２１９に移行して、総合評価値のピーク位置を合焦位置として決定し、次のステップ２２０に移行して、フォーカスレンズを合焦位置に移動する。
【０１１３】
次のステップ２２２では、レリーズボタン５６Ａが全押し状態とされたか否かを判定し、当該判定が否定判定となった場合はステップ２２４に移行して、レリーズボタン５６Ａの半押し状態が解除されたか否かを判定する。当該判定も否定判定となった場合は、再びステップ２２２に戻る。また、ステップ２２４で肯定判定となった場合はステップ２０２に戻る。
【０１１４】
一方、ステップ２２２が肯定判定となった場合は、ステップ２２６に移行して、ＣＣＤ１４を介して得られた画像情報を静止画像情報として記録メディア４２Ａに記憶することにより撮影を行い、次のステップ２２８に移行する。
【０１１５】
ステップ２２８では、撮影を終了するか否かを判定し、当該判定が否定判定となった場合は、再びステップ２０２に戻る。
【０１１６】
また、モード切替スイッチ５６Ｃが操作されることにより再生モードへの切り替えが指示された場合、又は電源スイッチ５６Ｂが操作されることにより電源の遮断が指示された場合には、ステップ２２８が肯定判定となり、ステップ２３０に移行する。ステップ２３０では、スルー画像表示を終了し、その後に本連続撮影処理を終了する。
（第３実施形態）
上記第２実施形態では、本第２実施形態では、ＡＦ制御の実行時にエッジの状態を加味した総合評価値を導出し、総合評価値に基づいて合焦位置を決定する形態について説明したが、本第３実施形態では、焦点距離に応じてＡＦ領域を変更する形態について説明する。
【０１１７】
なお、本第３実施形態のデジタルカメラの構成において、上記第１実施形態のデジタルカメラ１０の構成と同一の構成については同一の符号を付し、その図示及び説明を省略する。
【０１１８】
図１０には、本第３実施形態に係るＡＦ制御に関する機能ブロック図が一例として示されている。なお、同図において、上記第２実施形態と同一の機能ブロックについては同一の符号を付し、その説明を省略する。
【０１１９】
同図に示されるように、本第３実施形態では、ＡＦ領域設定部６４に領域変更部８６が設けられている点が異なり、他の機能ブロックについては第２実施形態と同一である。
【０１２０】
領域変更部８６は、総合評価値の導出処理中は、フォーカスレンズの位置に応じて、遠距離の被写体に焦点が合う位置である場合ほど、ＡＦ領域が顔検出領域の中心に向かって小さくなるように、ＡＦ領域を変更する。
【０１２１】
以下、本第３実施形態の作用を説明する。
【０１２２】
図１１は、撮影モードが設定された場合にデジタルカメラ１０のＣＰＵ３２により実行される撮影処理プログラムの処理の流れを示すフローチャートである。以下、同図を参照して本第３実施の形態に係る撮影処理について説明する。
【０１２３】
まず、ステップ３００では、スルー画像の表示を開始し、次のステップ３０２では、レリーズボタン５６Ａが半押し状態とされたことを示す操作信号が入力されたか否かを判定する。
【０１２４】
ステップ３０２で肯定判定となった場合はステップ３０４に移行して、ＣＣＤ１４を用いて取得したデジタル画像データの輝度情報に基づいて、顔検出回路４４による顔検出を行い、その後にステップ３０５に移行する。
【０１２５】
ステップ３０５では、顔が検出された領域をＡＦ領域として設定し、その後にステップ３０６に移行する。ステップ３０６では、フォーカスレンズをデフォルト位置に移動させ、その後にステップ３０８に移行して、ＡＦ検出回路３４によりコントラスト値を検出し、ステップ３１０に移行して、顔検出回路４４により顔スコア値を検出し、ステップ３１２に移行してエッジ評価値Ｅを検出する。
【０１２６】
次のステップ３１４では、ステップ３０８〜３１２の処理により導出された各値に基づいて総合評価値を導出し、次のステップ３１６に移行する。総合評価値の導出は、例えば、上記（１）式により実行することができる。
【０１２７】
ステップ３１６では、ＡＦ制御時のフォーカスレンズの駆動を終了するか否かを判定し、当該判定が否定判定となった場合はステップ３１８に移行して、フォーカスレンズを所定量駆動し、その後にステップ３２０に移行してＡＦ領域を変更した後に再びステップ３０８に戻る。
【０１２８】
なお、本実施の形態では、ＡＦ制御時におけるフォーカスレンズの駆動は、デフォルト位置から所定量単位でステップ駆動され、フォーカスレンズの可動領域全域についての総合評価値が導出される。したがって、全域についての総合評価値の導出が完了した場合、又は総合評価値のピークを検出した場合に、フォーカスレンズの駆動を終了する。
【０１２９】
ここで、本実施の形態に係るＡＦ領域の変更及び導出される総合評価値について説明する。
【０１３０】
まず、本実施の形態とは異なり、図１５（Ａ）〜（Ｃ）に示されるように、固定のＡＦ領域９６を用いて導出する場合について、図１６に示すフォーカスレンズの位置と検出値との関係を参照して説明する。なお、図１６（Ａ）は、コントラスト値を、同図（Ｂ）は顔スコア値を、同図（Ｃ）はエッジ評価値Ｅを、それぞれ示している。
【０１３１】
同図（Ａ）に示されるように、コントラスト値のピークは３箇所に表れ、最も近距離側のピークはフェンスに焦点が合っており、コントラスト値が高い。一方、中間距離のピークは顔に焦点が合っており、フェンスに焦点が合っている場合のコントラスト値と比較すると人間の顔はコントラスト値が低い。更に、最も遠距離側のピークは背景に焦点が合っており、顔に焦点が合っている場合よりも高いコントラスト値を示す場合がある。
【０１３２】
また、同図（Ｂ）に示されるように、顔らしさを示す顔スコア値は、顔に焦点が合っている場合に高い傾向を示すものの、背景に焦点が合っていてもそれほど変化がない。
【０１３３】
さらに、同図（Ｃ）に示されるように、エッジ評価値Ｅは、フェンスに焦点が合っている場合にピークとなり、顔に焦点があっている場合には特にエッジ評価値Ｅが高くなることはない。また、背景に焦点が合っている場合には、フェンスに焦点が合っている場合ほどエッジ評価値Ｅが高くなるとは限らず、これら（Ａ）〜（Ｃ）の結果を用いて総合評価値を導出したとしても、顔に焦点が合う位置と、背景に焦点が合う位置と、の２箇所にピークが残る場合がある。
【０１３４】
そこで、本実施の形態では、図１２（Ａ）〜（Ｃ）に示されるように、フォーカスレンズの位置に応じて可変のＡＦ領域９４を用いている。なお、本実施の形態では、焦点が合う被写体までの距離が遠くなるほど、ＡＦ領域９４を検出された顔の中心に向かって小さくするように変更している。
【０１３５】
同図（Ａ）に示されるように、最も近い位置にある被写体（同図では、フェンス）に焦点が合う位置にある場合のＡＦ領域９４Ａは、顔として検出された領域としている。また、同図（Ｂ）に示されるように、フォーカスレンズが中間位置（同図では、人物）に焦点が合う位置にある場合のＡＦ領域９４Ｂは、ＡＦ領域９４Ａよりも小さくなっている。さらに、同図（Ｃ）に示されるように、フォーカスレンズがデジタルカメラ１０から遠くにある被写体（同図では、背景）に焦点が合う位置にある場合のＡＦ領域９４Ｃは、ＡＦ領域９４Ｂよりも更に小さくなっている。したがって、ＡＦ領域９４Ｃは、背景を含まない。
【０１３６】
図１３（Ａ）〜（Ｃ）には、ＡＦ領域９４をフォーカスレンズの位置に応じて変更した場合のフォーカスレンズの位置と検出値との関係がそれぞれ示されている。なお、同図（Ａ）は、コントラスト値を、同図（Ｂ）は顔スコア値を、同図（Ｃ）はエッジ評価値Ｅを、それぞれ示している。同図に示されるように、遠距離になるほどＡＦ領域を小さくしていくことでＡＦ領域９４Ｃには背景が含まれないため、同図において鎖線で囲む領域の検出値が、背景の特徴によらない値をとっている。
【０１３７】
図１４は、これら（Ａ）〜（Ｃ）の結果を用いて上記（１）式により導出した総合評価値とフォーカスレンズの位置との関係を示すグラフである。同図に示されるように、顔以外に焦点が合っている場合は総合評価値が低くなり、顔に焦点が合っている場合に総合評価値がピークとなる。
【０１３８】
ステップ３１６で肯定判定となった場合はステップ３２１に移行して、総合評価値のピーク位置を合焦位置として決定し、次のステップ３２２に移行して、フォーカスレンズを合焦位置に移動する。
【０１３９】
次のステップ３２４では、レリーズボタン５６Ａが全押し状態とされたか否かを判定し、当該判定が否定判定となった場合はステップ４３６に移行して、レリーズボタン５６Ａの半押し状態が解除されたか否かを判定する。当該判定も否定判定となった場合は、再びステップ３２４に戻る。また、ステップ３２６で肯定判定となった場合はステップ３０２に戻る。
【０１４０】
一方、ステップ３２４が肯定判定となった場合は、ステップ３２８に移行して、ＣＣＤ１４を介して得られた画像情報を静止画像情報として記録メディア４２Ａに記憶することにより撮影を行い、次のステップ３３０に移行する。
【０１４１】
ステップ３３０では、撮影を終了するか否かを判定し、当該判定が否定判定となった場合は、再びステップ３０２に戻る。
【０１４２】
また、モード切替スイッチ５６Ｃが操作されることにより再生モードへの切り替えが指示された場合、又は電源スイッチ５６Ｂが操作されることにより電源の遮断が指示された場合には、ステップ３３０が肯定判定となり、ステップ３３２に移行する。ステップ３３２では、スルー画像表示を終了し、その後に本連続撮影処理を終了する。
【０１４３】
なお、以上の各実施形態で説明したデジタルカメラ１０の構成（図１及び図２参照）は一例であり、本発明の主旨を逸脱しない範囲内において適宜変更可能であることは言うまでもない。
【図面の簡単な説明】
【０１４４】
【図１】実施形態に係るデジタルカメラの外観を示す外観図である。
【図２】実施形態に係るデジタルカメラの電気系の構成を示すブロック図である。
【図３】第１実施形態に係る撮影処理に関する機能ブロック図である。
【図４】第１実施形態に係る撮影処理の流れを示すフローチャートである。
【図５】被写体の前面にフェンスがある状態で取得される画像を示す模式図であり、（Ａ）は、被写体の顔の前面にあるフェンスに焦点が合っている場合に取得される画像の一例を示す模式図、（Ｂ）は被写体の顔に焦点が合っている場合に取得される画像の一例を示す模式図である。
【図６】第２実施形態に係る撮影処理に関する機能ブロック図である。
【図７】第２実施形態に係る撮影処理の流れを示すフローチャートである。
【図８】第２実施形態において導出される値を示すグラフであり、（Ａ）は、フォーカスレンズ位置を変化させたときのコントラスト値の変化の一例を、（Ｂ）は、フォーカスレンズ位置を変化させたときの顔スコア値の変化の一例を、（Ｃ）は、フォーカスレンズ位置を変化させたときのエッジ評価値の変化の一例を、それぞれ示す。
【図９】第２実施形態において、図８に示される各グラフの値を用いて導出される総合評価値を示すグラフである。
【図１０】第３実施形態に係る撮影処理に関する機能ブロック図である。
【図１１】第３実施形態に係る撮影処理の流れを示すフローチャートである。
【図１２】第３実施形態に係る撮影処理におけるＡＦ領域を示す模式図である。
【図１３】第３実施形態において導出される値を示すグラフであり、（Ａ）は、フォーカスレンズ位置を変化させたときのコントラスト値の変化の一例を、（Ｂ）は、フォーカスレンズ位置を変化させたときの顔スコア値の変化の一例を、（Ｃ）は、フォーカスレンズ位置を変化させたときのエッジ評価値の変化の一例を、それぞれ示す。
【図１４】第３実施形態において、図８に示される各グラフの値を用いて導出される総合評価値を示すグラフである。
【図１５】本発明の構成を有しない場合のＡＦ領域を示す模式図である。
【図１６】図１５に示すＡＦ領域を適用した場合に導出される値を示すグラフであり、（Ａ）は、フォーカスレンズ位置を変化させたときのコントラスト値の変化の一例を、（Ｂ）は、フォーカスレンズ位置を変化させたときの顔スコア値の変化の一例を、（Ｃ）は、フォーカスレンズ位置を変化させたときのエッジ評価値の変化の一例を、それぞれ示す。
【図１７】他の形態に係るデジタルカメラの電気系の構成を示すブロック図である。
【図１８】他の形態に係る撮影処理に関する機能ブロック図である。
【符号の説明】
【０１４５】
１０    デジタルカメラ
１２    レンズ
１３    光学ユニット（光学手段）
１４    ＣＣＤ（撮像素子）
１６    ＣＤＳＡＭＰ
３０    ＬＣＤ
３２    ＣＰＵ（自動合焦手段、報知実行手段）
３４    ＡＦ検出回路
４４    顔検出回路（顔検出手段）
４６    エッジ検出回路（検出手段）
５０    モータ駆動部（光学手段）
５６    操作部
６０    画像情報取得部
６２    顔検出部
６４    ＡＦ領域設定部
６６    コントラスト値検出部
６８    合焦位置決定部（導出手段）
７０    焦点位置調整部（光学手段）
７４    判定部（判定手段）
【図１】
2009081810.tif 000003
【図２】
2009081810.tif 000004
【図３】
2009081810.tif 000005
【図４】
2009081810.tif 000006
【図５】
2009081810.tif 000007
【図６】
2009081810.tif 000008
【図７】
2009081810.tif 000009
【図８】
2009081810.tif 000010
【図９】
2009081810.tif 000011
【図１０】
2009081810.tif 000012
【図１１】
2009081810.tif 000013
【図１２】
2009081810.tif 000014
【図１３】
2009081810.tif 000015
【図１４】
2009081810.tif 000016
【図１５】
2009081810.tif 000017
【図１６】
2009081810.tif 000018
【図１７】
2009081810.tif 000019
【図１８】
2009081810.tif 000020